(57)【要約】【課題】使い勝手のよいコンテンツ鑑賞機能を実現する情報処理装置および同装置にて使用されるコンテンツ表示方法を提供する。【解決手段】  ＡＶ再生スイッチ１１５をオンにすると、例えばＴＶチューナ１２１から出力されるコンテンツデータがＬＣＤ１０６に表示されるとともにＯＳの起動が開始され、ＯＳ起動中においてグラフィックコントローラ１０４はノースブリッジ１０２から送られる信号をＶＣＯＮＴ１０５に出力しない。ＯＳ起動処理が完了すると、ＯＳ起動完了を意味するメッセージがＬＣＤ１０６に表示されているコンテンツ上に表示される。【選択図】    図２
2006195816.tif 000002
【特許請求の範囲】
【請求項１】
所定の操作に応じて起動されるオペレーティングシステムを記憶する記憶部と、
コンテンツ出力装置と、
前記オペレーティングシステムの起動が完了しているか否かに関わらず、前記コンテンツ出力装置から出力されるデータを表示する表示部と、
を具備することを特徴とする情報処理装置。
【請求項２】
前記オペレーティングシステムの起動中は前記オペレーティングシステムの起動に関するデータを前記表示部に表示させない表示制御部と、をさらに具備することを特徴とする請求項１記載の情報処理装置。
【請求項３】
前記表示制御部は、前記オペレーティングシステムの起動完了後、前記オペレーティングシステムによって制御されるデータを前記表示部に表示させることを特徴とする請求項１記載の情報処理装置。
【請求項４】
前記表示制御部は、前記オペレーティングシステムの起動完了後、前記オペレーティングシステムが起動完了したことを前記表示部に表示させることを特徴とする請求項１記載の情報処理装置。
【請求項５】
前記コンテンツ出力装置によって出力されるデータに含まれる画像を補正する補正部をさらに有することを特徴とする請求項１記載の情報処理装置。
【請求項６】
前記表示部は、前記補正部によって補正された画像を含むデータを表示することを特徴とする請求項５記載の情報処理装置。
【請求項７】
表示部と、
前記表示部に表示されるコンテンツに含まれる画像を補正する補正部と、
前記補正部にコンテンツを出力するコンテンツ出力装置と、
所定の操作に応じて起動されるオペレーティングシステムを記憶する記憶部と、
前記オペレーティングシステムが動作中に、前記オペレーティングシステムによって制御されるデータを前記補正部に供給する表示制御部と、を具備し、
前記補正部は、前記表示制御部および前記コンテンツ出力装置のうちの一つから前記表示部にデータを出力することを特徴とする情報処理装置。
【請求項８】
オペレーティングシステムによって実行される機能を有する情報処理装置にて使用されるコンテンツ表示方法において、
オペレーティングを起動し、
コンテンツデータを出力し、
前記オペレーティングシステムの起動が完了しているか否かに関わらず、前記出力されるコンテンツデータを表示することを特徴とするコンテンツデータ表示方法。
【請求項９】
前記オペレーティングシステムの起動完了後、前記オペレーティングシステムによって制御されるデータを表示させることを特徴とする請求項８記載のコンテンツデータ表示方法。
【請求項１０】
前記オペレーティングシステムの起動完了後、前記オペレーティングシステムが起動完了したことを表示させることを特徴とする請求項８記載のコンテンツデータ表示方法。
【発明の詳細な説明】
【技術分野】
【０００１】
本発明は、テレビジョン放送の受信装置で受信した番組情報若しくはディスクドライブ装置から読み出したコンテンツ情報を表示部へ表示する情報処理装置および情報処理装置にて使用されるコンテンツ表示方法に関する。
【背景技術】
【０００２】
近年、テレビジョン（ＴＶ）放送を受信する受信装置で受信した番組情報、ＤＶＤ、ＣＤ等のディスクドライブ装置から読み出したオーディオ・ビジュアル（ＡＶ）情報等を鑑賞するＡＶ情報の鑑賞機能を備えたパーソナルコンピュータ（ＰＣ）が広く普及している。この種、ＰＣに於いては、オペレーティングシステム（ＯＳ）の管理、制御のもとに上記ＡＶ情報の鑑賞機能を駆動制御するシステム構成と、ＯＳを起動させずにＡＶ機能を独立して起動させるシステム構成とが存在する。
【０００３】
ＯＳ制御のもとにＡＶ情報の鑑賞機能を駆動制御するシステム構成に於いては、ＡＶ情報を鑑賞する際に、ＯＳの起動完了を待たなければならないという問題があった。またＯＳを起動させずにＡＶ機能を独立して起動させるシステム構成に於いては、鑑賞しているＡＶ情報をＯＳが管理している例えばＨＤＤ等の記憶装置に録画したい場合、ＯＳの起動を行わなければならないことからユーザの意図するタイミングで録画できないという問題があった。
【特許文献１】特開２００２−１０８４８６
【発明の開示】
【発明が解決しようとする課題】
【０００４】
上述したように、ＯＳ制御のもとにＡＶ情報の鑑賞機能を駆動制御するシステム構成に於いては、ＡＶ情報を鑑賞等する際に、ＯＳの起動完了を待たなければならないという問題があった。
【０００５】
本発明は上記実情に鑑みなされたもので、使い勝手のよいコンテンツ鑑賞機能を実現する情報処理装置および同装置にて使用されるコンテンツ表示方法を提供することを目的とする。
【課題を解決するための手段】
【０００６】
上記目的を達成するために、請求項１に係る発明では、所定の操作に応じて起動されるオペレーティングシステムを記憶する記憶部と、コンテンツ出力装置と、オペレーティングシステムの起動が完了しているか否かに関わらず、コンテンツ出力装置から出力されるデータを表示する表示部とを具備することを特徴とする。
【０００７】
また、上記目的を達成するために、請求項８に係る発明では、オペレーティングシステムによって実行される機能を有する情報処理装置にて使用されるコンテンツ表示方法において、オペレーティングを起動し、コンテンツデータを出力し、オペレーティングシステムの起動が完了しているか否かに関わらず、出力されるコンテンツデータを表示することを特徴とする。
【発明の効果】
【０００８】
使い勝手のよいコンテンツ鑑賞機能を実現する情報処理装置および同装置にて使用されるコンテンツ表示方法を提供できる。
【発明を実施するための最良の形態】
【０００９】
以下図面を参照して本発明の実施形態を説明する。
【００１０】
図１を参照して、本発明の一実施形態に係る情報処理装置について説明する。この情報処理装置は、例えばノートブック型パーソナルコンピュータとして実現される。
【００１１】
図１は情報処理装置１のディスプレイユニット３を本体２に対して開いた状態の一例を示す斜視図である。情報処理装置１は本体２とディスプレイユニット３とから構成される。ディスプレイユニット３には、ＬＣＤ（Liquid Crystal Display）１０６から構成される表示装置が組み込まれており、ＬＣＤ１０６はディスプレイユニット３のほぼ中央に位置される。
【００１２】
ディスプレイユニット３は、本体２に対して開放位置と閉塞位置との間を回動自在に取り付けられている。ディスプレイユニット３には、赤外線受信部１１３が設けられる。赤外線受信部１１３は、本情報処理装置１をリモートコントロールするリモートコントローラから出力されコントロール内容を示す信号を有する赤外線を受光する。
【００１３】
本体２は略箱形の形状を有しており、本体２の上面にはキーボードユニット１１２、情報処理装置１の電源をオン／オフするためのパワーボタン１１４が配置される。本体２はＤＶＤドライブ１２２を収容する。
【００１４】
本体２の前面には後述にて説明するＡＶ再生スイッチ１１５が配置される。ＡＶ再生スイッチ１１５がオン状態にされると、例えばＤＶＤドライブ１２２にセットされている光ディスクに記憶されているＡＶコンテンツが再生され、ＡＶコンテンツの映像がＬＣＤ１０６に表示される。
【００１５】
次に図２を参照して、情報処理装置１の構成の一例について説明する。
【００１６】
情報処理装置１は、ＣＰＵ１０１、ノースブリッジ１０２およびサウスブリッジ１０７、主メモリ（Main memory）１０３、ＢＩＯＳ−ＲＯＭ１１０、グラフィックコントローラ（Graphic controller）１０４、画像補正用コントローラ１０５、ＬＣＤ１０６、ハードディスクドライブ装置（ＨＤＤ）１０８、ＢＩＯＳ−ＲＯＭ１１０、エンベデッドコントローラ／キーボードコントローラ１１１、テレビジョン（ＴＶ）チューナ１２１、ＤＶＤドライブ１２２、赤外線受信部１１３等の各種構成要素を有して構成される。
【００１７】
ＣＰＵ１０１は、本実施の形態に係る情報処理装置の動作を制御するために設けられたプロセッサであり、外部記憶装置であるハードディスクドライブ１０６から主メモリ１０３にロードされたオペレーティングシステム（ＯＳ）および各種アプリケーション／ユーティリティプログラムを実行する。また、ＣＰＵ１０１は、ＢＩＯＳ−ＲＯＭ１１０に格納されたＢＩＯＳ（Basic Input Output System）を実行する。
【００１８】
ノースブリッジ１０２はＣＰＵ１０１のローカルバスとサウスブリッジ１０７との間を接続するブリッジデバイスである。ノースブリッジ１０２には、主メモリ１０３をアクセス制御するメモリコントローラが内蔵されている。また、ノースブリッジ１０２にはグラフィックコントローラ１０４が接続されている。
【００１９】
主メモリ１０３には、ＣＰＵ１０１により実行される、オペレーティングシステム（ＯＳ）、および各種のアプリケーションプログラム、ユーティリティプログラム等が格納される。例えば本実施の形態に係る情報処理装置のユーザインタフェースの一部を担う画面制御プログラム、録画予約の設定並びにその設定に従うデータ管理機能等を実現する制御プログラム等、各種のプログラムが格納される。
【００２０】
グラフィックコントローラ１０４はＬＣＤ１０６といった表示部に表示されるデータ（以下、表示データと称す。）の制御を行う。また、グラフィックコントローラ１０４には信号線１０４ａを介して画像補正用コントローラ（ＶＣＯＮＴ）１０５が接続される。
【００２１】
ＶＣＯＮＴ１０５は例えばグラフィックコントローラ１０４から出力される表示データに含まれる画像に対して、例えば動き補正処理といった高画質化処理を行う。ＶＣＯＮＴ１０５は後述にて説明するサウスブリッジ１０７と信号線１０７ａを介して接続される。ＶＣＯＮＴ１０５はサウスブリッジ１０７から出力される信号に基づいて、該ＶＣＯＮＴ１０５に入力される表示データに対して動き補正処理等を行う。ＶＣＯＮＴ１０５によって処理された表示データはＬＣＤ１０６に表示される。
【００２２】
サウスブリッジ１０７はノースブリッジ１０２に接続されるブリッジデバイスである。サウスブリッジ１０７には、ＨＤＤ装置１０８、ＢＩＯＳ−ＲＯＭ１１０、エンベデッドコントローラ／キーボードコントローラ１１１が接続される他に、信号線１０７ａを介してＶＣＯＮＴ１０５、信号線１２１ａを介してＴＶチューナ１２１、信号線１２２ａを介してＤＶＤドライブ１２２がそれぞれ接続される。ここで、ＴＶチューナ１２１、ＤＶＤドライブ１２２およびコンテンツデータを提供するその他のデバイスをコンテンツ出力装置と称す。
【００２３】
ＨＤＤ装置１０８はＯＳ、デバイスドライバ、実行対象のアプリケーションプログラム、アプリケーションプログラムを実行することで生成されるデータ等が記憶されている。ＨＤＤ装置１０８に記憶されているデータは、適時メモリ１０３に転送される。
【００２４】
ＢＩＯＳ−ＲＯＭ１１０にはＣＰＵ１０１によって実行されるＢＩＯＳが格納される。ＢＩＯＳの初期化処理ルーチンには、後述にて詳細を説明するシステム起動処理ルーチンが含まれる。
【００２５】
ＴＶチューナ１２１はサウスブリッジ１０７に信号線１２１ａを介して接続される。ＴＶチューナ１２１は、リモートコントローラまたはＬＡＮ経由のパーソナルコンピュータ等から視聴要求されたチャンネルのＴＶ放送番組データ（コンテンツ）を受信する。ＴＶ放送番組データは内蔵のＮＴＳＣデコーダおよびＭＰＥＧエンコーダを介して圧縮符号化されたＴＶ放送番組データに変換される。ユーザがＴＶ放送番組データを視聴する場合、圧縮符号化されたＴＶ番組データは内蔵のＭＰＥＧデコーダによって復号化され、さらに復号化されたＴＶ番組データはＬＣＤ１０６に表示される。一方、ＴＶ放送番組データをビデオ録画する場合、ＭＰＥＧエンコーダによって圧縮符号化されたＴＶ放送番組データをＨＤＤ１０８に記憶させる。
【００２６】
ＤＶＤドライブ１２２はサウスブリッジ１０７に信号線１２２ａを介して接続される。ＤＶＤドライブ１２２は光ディスクドライブの一種である。ＤＶＤドライブ１２２は該ＤＶＤドライブ１２２にセットされた例えばＤＶＤディスクに記憶されているコンテンツの再生等を行う。
【００２７】
ＴＶチューナ１２１およびＤＶＤドライブ１２２は信号線１０４ｂを介してＶＣＯＮＴ１０５に接続される。後述にて詳細に説明するが、ＡＶ再生スイッチ１１５をオンにすることで、ＴＶチューナ１２１またはＤＶＤドライブ１２２から出力されるコンテンツデータは信号線１０４ｂを介してＶＣＯＮＴ１０５に出力され、さらにＶＣＯＮＴ１０５からＬＣＤ１０６へと出力される。
【００２８】
エンベデッドコントローラ／キーボードコントローラ（ＥＣ／ＫＢＣ）１１１は、電力管理のためのエンベデッドコントローラと、キーボード１１２を制御するためのキーボードコントローラとが集積された１チップマイクロコンピュータである。このＥＣ／ＫＢＣ１１１は、ユーザによるパワーボタン１１４の操作に応じて本情報処理装置をパワーオン／パワーオフする。ＥＣ／ＫＢＣ１１１には、キーボード１１２、赤外線受信部（ＩＲ  ｐｏｒｔ）１１３、パワーボタン１１４、およびＡＶ再生スイッチ（AV playback switch）１１５が接続される。
【００２９】
キーボード１１２は、本情報処理装置における入力部の一つである。
【００３０】
赤外線受信部１１３は、リモートコントローラ２００が送出する赤外線信号を受信し、その赤外線信号が示す操作内容をＣＰＵ１０１に伝達する。赤外線受信部１２４は、赤外線信号の受信時に、その操作情報を内蔵レジスタに格納するとともに、ＣＰＵ１０１に対する割り込みを発生させ、この割り込みに応答してＣＰＵ１０１が内蔵レジスタの参照を要求してきたら、その操作情報をバス上に出力する。
【００３１】
パワーボタン１１４は本情報処理装置１を構成する例えばＣＰＵ１０１、メモリ１０３といったデバイス群に対して電源供給制御を行い、その後ＯＳを起動するために設けられる。ユーザがパワーボタン１１４を押下するとデバイス群に電源が供給され、その後ＣＰＵ１０１がＢＩＯＳ−ＲＯＭ１１０に設けられるＢＩＯＳのシステム起動処理ルーチンを実行することでＯＳを起動させる。ＣＰＵ１０１が初期化処理ルーチンを実行する際、該初期化処理ルーチン中の例えばＰＯＳＴ（Power On Self Test）の結果等がＬＣＤ１０６に表示される。
【００３２】
ＡＶ再生スイッチ１１５はＴＶ番組又は光ディスクに記憶されているコンテンツを視聴する場合に使用される。ユーザが例えばＴＶ番組を視聴したい場合はＡＶ再生スイッチ１１５を例えば右にスライドさせ、光ディスクに記憶されているコンテンツを視聴する場合はＡＶ再生スイッチ１１５を例えば左にスライドさせる。
【００３３】
ＡＶ再生スイッチ１１５をオン（例えば、ＡＶ再生スイッチを右にスライド）にすると、ＡＶコンテンツの映像がＬＣＤ１０６に表示されるとともに、ＢＩＯＳのシステム起動ルーチンが実行されＯＳが起動する。次に、ＡＶ再生スイッチ１１５のスイッチをオンにした場合における処理手順の一例を説明する。
【００３４】
図３は、ＡＶ再生スイッチ１１５をオンにすることで実行されるシステム起動処理ルーチンの一例を説明したフローチャートである。
【００３５】
ユーザがＡＶ再生スイッチ１１５をオンにする（ステップ  Ｓ１１）とＥＣ／ＫＢＣ１１４がＡＶ再生スイッチ１１５のオンを検知し、ＰＳＣ（Ｐｏｗｅｒ  Ｓｕｐｐｌｙ  Ｃｏｎｔｒｏｌｌｅｒ）によって本情報処理装置１を構成するＣＰＵ１０１、ノースブリッジ１０２、メモリ１０３、グラフィックコントローラ１０４、ＶＣＯＮＴ１０５、ＬＣＤ１０６、サウスブリッジ１０７、ＴＶチューナ１２１、ＤＶＤドライブ１２２等の各デバイス群に電力が供給される（ステップ  Ｓ１２）。
【００３６】
各デバイス群に電力が供給されると、ＣＰＵ１０１はサウスブリッジ１０７の有するレジスタに信号線１２１ａおよび信号線１２２ａをディセーブルするようセットする（ステップ  Ｓ１３）。
【００３７】
信号線１２１ａおよび信号線１２２ａがディセーブルにセットされると、サウスブリッジ１０７はＴＶチューナ１２１およびＤＶＤドライブ１２２の制御ができない。ＴＶチューナ１２１から出力されるＴＶ番組コンテンツを表現する信号またはＤＶＤドライブ１２２にセットされる光ディスクに記憶されるコンテンツを表現する信号はＶＣＯＮＴ１０５に出力される（ステップ  Ｓ１４）。ＴＶチューナ１２１またはＤＶＤドライブ１２２からＶＣＯＮＴ１０５に入力された信号は、該ＶＣＯＮＴ１０５にて適切な画像処理がなされ、ＬＣＤ１０６へ出力される（ステップ  Ｓ１５）。次に、ＯＳの動作状態の一例を、図４を参照にして説明する。
【００３８】
図４は、起動開始、起動完了、シャットダウン開始、シャットダウン完了といったイベントに対応してＯＳの動作状態の一例を説明した図である。ＯＳの起動開始とは停止中のＯＳを起動させる操作である。ＯＳの起動開始後からＯＳの起動が完了するまでの状態をＯＳ起動中と称す。さらに、ＯＳ起動完了後の状態をＯＳ動作中、ＯＳ動作中の状態においてＯＳのシャットダウン処理を開始することをＯＳシャットダウン開始、ＯＳシャットダウン処理開始後からＯＳのシャットダウン処理が完了するまでの状態をＯＳシャットダウン処理中、ＯＳのシャットダウン処理が完了した後のＯＳの状態をＯＳ停止中と称す。
【００３９】
ステップＳ１５にて、ＶＣＯＮＴ１５によって処理された信号がＶＣＯＮＴ１５からＬＣＤ１０６に出力されると、ＬＣＤ１０６にＡＶコンテンツの映像が表示されるとともに、ＣＰＵ１０６がＢＩＯＳ−ＲＯＭ１１０に格納されるＢＩＯＳのシステム起動処理ルーチン等を実行することで、ＯＳの起動が開始される（ステップ  Ｓ１６）。ＯＳ起動中（ステップ  Ｓ１７）において、例えばＯＳ起動中を示す画面を表現する信号がノースブリッジ１０２からグラフィックコントローラ１０４へ送られる。しかしながら、グラフィックコントローラ１０４はこの信号をＶＣＯＮＴ１０５に出力しない。従って、ＯＳ起動中を示す画面はＬＣＤ１０６に表示されること無く、ＴＶチューナ１２１（またはＤＶＤドライブ１２２）から出力されるＡＶコンテンツを表現する信号がＬＣＤ１０６に出力される。
【００４０】
ＯＳ起動処理が終了すると（ステップ  Ｓ１８）、ＯＳ起動完了を意味するメッセージＭ（図５を参照）がＬＣＤ１０６に表示されているＡＶコンテンツ上に表示される（ステップ  Ｓ１９）。このメッセージはメモリ１０３からノースブリッジ１０２、サウスブリッジ１０７、信号線１０７ａおよびＶＣＯＮＴ１０５を介してＬＣＤ１０６に表示される。該メッセージがＬＣＤ１０６に表示されることで、ユーザはＯＳの起動が完了したことを認識する。
【００４１】
メッセージＭをＬＣＤ１０６に表示する代わりに、図６に示すように、ＬＣＤ１０６にＡＶコンテンツを表示するとともに、ＡＶコンテンツに重ね合わせてＯＳ起動完了後のコンピュータ画面Ｎを縮小表示してもよい。または、図７に示すように、ＬＣＤ１０６にＯＳ起動完了後のコンピュータ画面Ｎを表示するとともに、コンピュータ画面Ｎに重ね合わせてＡＶコンテンツを半透明表示させてもよい。
【００４２】
図６および図７を用いて説明したコンピュータ画面Ｎのデータは、ＣＰＵ１０１から、ノースブリッジ１０２、グラフィックコントローラ１０４およびＶＣＯＮＴ１０５を介してＬＣＤ１０６に送られ、ＬＣＤ１０６に表示される。
【００４３】
メッセージＭの表示、縮小したコンピュータ画面Ｎの表示、ＡＶコンテンツの半透明表示をＬＣＤ１０６に表示することによって、ユーザはＯＳの起動が完了したことを認識する。次に、ＡＶ再生スイッチ１１５のオン操作によるＡＶコンテンツ表示からＯＳ制御下のデータ表示への切替え手順を説明する。
【００４４】
図８に示されるリモートコントローラ２００に設けられるＰＣボタンｂ１を操作することで、ＡＶコンテンツ表示からＯＳ制御下のデータ表示への切替え処理が開始される。リモートコントローラ２００は、複数種類の操作ボタンを有する。
【００４５】
リモートコントローラ２００は、ＰＣボタンｂ１、ＴＶボタンｂ２の他に、例えば、ビデオボタンｂ３、消去ボタンｂ４、プロテクト指定ボタンｂ５、プレイモード選択ボタンｂ６、プログラムボタンｂ７、スキップボタンｂ８、戻りボタンｂ９、メニューボタンｂ１０、ワンタッチリプレイ／ワンタッチスキップボタンｂ１１、戻り／進みボタンｂ１２、方向指示ボタンｂ１３（＃ａ〜＃ｄ）、決定ボタンｂ１４、ポーズボタンｂ１５、ストップボタンｂ１６、プレイボタンｂ１７を備えている。更には、数字入力を行う場合に用いる数字ボタンｃ１、チャンネルボタンをアップダウンにより選択するチャンネル番号アップダウンボタンｃ２、ボリュームボタンｖ、スロー再生ボタンｓをも備えている。
【００４６】
図９は、ＡＶ再生スイッチのオン操作によるＡＶコンテンツ表示からＯＳ制御下のデータ表示への切替え手順の一例を示すフローチャートである。
【００４７】
ユーザがＬＣＤ１０６に表示されるＯＳの起動完了を表すメッセージを認識し、例えばリモートコントローラ２００のＰＣボタンｂ１（図６を参照）をオン操作すると（ステップ  Ｓ２０  Ｙｅｓ）、グラフィックコントローラ１０４はサウスブリッジ１０７の有するレジスタに信号線１２１ａおよび信号線１２２ａをイネーブルするようセットする（ステップ  Ｓ２１）。信号線１２１ａおよび信号線１２２ａがイネーブルにセットされることで、サウスブリッジ１０７はＴＶチューナ１２１およびＤＶＤドライブ１２２を制御することが可能となる。また、ＣＰＵ１０１は、ＶＣＯＮＴ１０５の有するポートの中でアクティブとなるポートを、信号線１０４ｂに接続されるポートから信号線１０４ａに接続されるポートに切り替える。
【００４８】
さらに、グラフィックコントローラ１０４はノースブリッジ１０２から送られてくる信号をＶＣＯＮＴ１０５に出力可能とする。従って、例えばログイン画面といったＯＳ制御下のデータをＬＣＤ１０６に表示することが可能となる（ステップ  Ｓ２２）。ＯＳ起動後、例えばＤＶＤドライブ１２２にセットされた光ディスクに記憶されているＡＶコンテンツは、信号線１２１ａ、サウスブリッジ１０７、ノースブリッジ１０２、グラフィックコントローラ１０４およびＶＣＯＮＴ１０５を介してＬＣＤ１０６に表示される。
【００４９】
なお、ステップＳ２１の処理は、ＣＰＵ１０１がサウスブリッジ１０７の有するレジスタに信号線１２２ａをイネーブルするようセットするという処理であってもよい。この場合、サウスブリッジ１０７はＤＶＤドライブ１２２を制御可能であり、ＴＶチューナ１２１を制御することはできない。従って、ＴＶチューナ１２１から出力されるＡＶコンテンツは信号線１０４ｂを介してＶＣＯＮＴ１０５へ入力されるものの、信号線１２１ａを介してサウスブリッジ１０７へ入力されない。このような構成をとることで、例えばＴＶチューナ１２１が受信したＴＶ番組をサウスブリッジ１０７を介してＨＤＤ１０８または主メモリ１０３へ記憶されることを防ぐことが可能となる。次に、ＯＳ制御下のデータ表示からＡＶコンテンツ表示への切替え手順を説明する。
【００５０】
図１０は、ＯＳ制御下のデータ表示からＡＶコンテンツ表示への切替え手順を示すフローチャートである。
【００５１】
ユーザが例えばリモートコントローラ２００のＴＶボタンｂ２（図６を参照）をオン操作すると（ステップ  Ｓ３０  Ｙｅｓ）、ＣＰＵ１０１はサウスブリッジ１０７の有するレジスタに信号線１２１ａおよび信号線１２２ａをディセーブルするようセットする（ステップ  Ｓ３１）。また、ＣＰＵ１０１は、ＶＣＯＮＴ１０５の有するポートの中でアクティブとなるポートを、信号線１０４ｂに接続されるポートから信号線１０４ａに接続されるポートに切り替える。
【００５２】
信号線１２１ａおよび信号線１２２ａがディセーブルにセットされることで、サウスブリッジ１０７はＴＶチューナ１２１およびＤＶＤドライブ１２２を制御することができない。さらに、グラフィックコントローラ１０４はノースブリッジ１０２から送られるＯＳ制御下のデータをＶＣＯＮＴ１０５へ出力しない。
【００５３】
ＴＶチューナ１２１から出力されるＴＶ番組コンテンツを表現する信号またはＤＶＤドライブ１２２にセットされる光ディスクに記憶されるコンテンツを表現する信号はＶＣＯＮＴ１０５に出力される。ＴＶチューナ１２１またはＤＶＤドライブ１２２からＶＣＯＮＴ１０５に入力された信号は、該ＶＣＯＮＴ１０５にて適切な画像処理がなされ、ＬＣＤ１０６へ出力される（ステップ  Ｓ３２）。
【００５４】
図１１は、情報処理装置１の構成の第２の実施形態を示した図である。図１１に示す構成図２を用いて説明した情報処理装置１の構成と異なる点は、グラフィックコントローラ１０４内にＶＣＯＮＴ１０５を設けた点である。すなわち、グラフィックコントローラ１０４とＶＣＯＮＴ１０５との２チップ構成、または、グラフィックコントローラ１０４内にＶＣＯＮＴ１０５を設ける１チップ構成であっても、ＶＣＯＮＴ１０５にグラフィックコントローラ１０４、サウスブリッジ１０７、ＤＶＤドライブ１２２およびＴＶチューナ１２１が接続されていればよい。
【００５５】
上述にて説明したＢＩＯＳ制御により、ＯＳの起動中において、例えばＴＶチューナ１２１から出力されるＡＶコンテンツをＬＣＤ１０６に表示することが可能となる。また、ＯＳ起動後、ＡＶコンテンツ表示からＯＳ制御下のデータ表示への切替え、さらに、ＯＳ制御下のデータ表示からＡＶコンテンツ表示への切替え等が容易に可能となる。
【００５６】
尚、本発明は上記実施形態に限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５７】
【図１】本発明の実施形態に係る情報処理装置の一例を示す斜視図。
【図２】本発明の実施形態に係る情報処理装置の構成の一例を示すブロック図。
【図３】ＡＶ再生スイッチをオンにすることで実行されるシステム起動処理ルーチンの一例を説明するフローチャート。
【図４】ＯＳの動作状態の一例を示す図。
【図５】ＡＶ再生スイッチをオンにした場合に実行されるシステム起動処理ルーチンにおいてＬＣＤに表示される表示画面の一例。
【図６】ＡＶ再生スイッチをオンにした場合に実行されるシステム起動処理ルーチンにおいてＬＣＤに表示される表示画面の別例。
【図７】ＡＶ再生スイッチをオンにした場合に実行されるシステム起動処理ルーチンにおいてＬＣＤに表示される表示画面のさらに別例。
【図８】リモートコントローラの外観図および操作ボタンの配列例を示した図。
【図９】ＡＶ再生スイッチのオン操作によるＡＶコンテンツ表示からＯＳ制御下のデータ表示への切替え手順の一例を示すフローチャート。
【図１０】ＯＳ制御下のデータ表示からＡＶコンテンツ表示への切替え手順の一例を示すフローチャート。
【図１１】本発明の実施形態に係る情報処理装置の構成の第２の実施形態を示すブロック図。
【符号の説明】
【００５８】
１０１…ＣＰＵ、１０２…ノースブリッジ、１０３…主メモリ、
１０４…グラフィックコントローラ、１０５…表示画像補正用コントローラ、
１０６…表示部、１０７…サウスブリッジ、
１０８…ハードディスクドライブ装置（ＨＤＤ）、１１０…ＢＩＯＳ−ＲＯＭ、
１１１…エンベデッドコントローラ／キーボードコントローラ、
１１２…キーボード（ＫＢ）、１１３…赤外線受信部、１１４…パワーボタン、
１２１…テレビジョン（ＴＶ）チューナ、１２２…ＤＶＤプレーヤ、
２００…リモートコントローラ、ｂ１…ＰＣボタン、ｂ２…ＴＶボタン。
【図１】
2006195816.tif 000003
【図２】
2006195816.tif 000004
【図３】
2006195816.tif 000005
【図４】
2006195816.tif 000006
【図５】
2006195816.tif 000007
【図６】
2006195816.tif 000008
【図７】
2006195816.tif 000009
【図８】
2006195816.tif 000010
【図９】
2006195816.tif 000011
【図１０】
2006195816.tif 000012
【図１１】
2006195816.tif 000013